(57)【要約】【課題】物体に封印するように貼り付けまたは、取り付けた無線ＩＣタグが、物体を不正に開封しようとした場合に無線ＩＣタグが切断され機能しなくなることで不正を未然に防ぐことが出来る。【解決手段】無線ＩＣタグが、薄いシート３に挟み込まれて成型され、シート３の裏に塗布される粘着材により物体に貼り付けられる。無線ＩＣタグは、物体の開口部分に貼り付けられ不正に物体の蓋を開けようとした場合に、無線ＩＣタグの切断加工部分４より無線ＩＣタグが切断され、同時にアンテナも切断され無線ＩＣタグがデータの読み出しを行えなくなる。これにより不正に蓋が開けられた形跡を検知できる。【選択図】図１
2009193550.tif 000002
【特許請求の範囲】
【請求項１】
物品に貼り付け可能な粘着面を片面に備えた二重の矩形状シートまたはフィルムと前記シーまたはフィルム面に形成されたアンテナと前記アンテナを介して外部と無線通信可能なＩＣチップとを備えた無線ＩＣタグであって、前記シートまたはフィルムはその両側にかかる張力によりアンテナとシートを切断可能としたことを特徴とする無線ＩＣタグ。
【請求項２】
物品を結束する二重の帯状シートまたは、フィルムの結束帯と前記結束帯を結束状態に保持する保持部と前記結束帯の帯面上に形成されたアンテナとを備えた無線ＩＣタグであって前記結束帯はこれに加わる張力によりアンテナと共に結束帯を切断可能としたことを特徴とする無線ＩＣタグ。
【請求項３】
前記シートまたはフィルムあるいは、結束帯上に形成されかつ前記アンテナの一部を横断して形成され、他のシートまたはフィルムあるいは結束帯部分よりも張力に対して切れ易く形成された切断線を設けることを特徴とする請求項１または２記載の無線ＩＣタグ。
【請求項４】
前記切断線はシートまたはフィルムあるいは結束帯部分上に形成されたミシン目であることを特徴とする請求項１〜３のいずれか一項に記載の無線ＩＣタグ。
【請求項５】
物品収納体の開閉部の開閉部分に請求項１〜４記載の無線ＩＣタグを貼付けして封印し、前記開閉部の開閉部分を開く際には前記無線ＩＣタグのシートまたはフィルムがアンテナと共に切断されることを特徴とする請求項１、３〜４のいずれか一項に記載の物品収納体の開閉部の開閉部分密閉方法。
【請求項６】
物品収納体の開閉部の開閉部分が請求項２に示すような帯状の結束帯で結束することで、物品収納体を密閉することが出来る物品収納体の場合は、請求項１〜４記載の無線ＩＣタグにて開閉部を結束して封印し、前記開閉部分を開く際には前記無線ＩＣタグのシートまたはフィルムがアンテナと共に切断されることを特徴とする請求項２〜４のいずれか一項に記載の物品収納体の開閉部の開閉部分密閉方法。
【発明の詳細な説明】
【技術分野】
【０００１】不正行為を回避することが出来る無線ＩＣタグ技術に関する。
【背景技術】
【０００２】無線ＩＣタグは、流通する物品などに貼り付けられ商品に関する情報の一部を書き込み物品を流通させ、物品の中身を確認せずとも貼り付けられた無線ＩＣタグをＩＣタグリーダで読み込むことで、流通される物品の中身、数量、流通経路、生産地などの情報を確認することに多く利用されている。【０００３】物品に貼り付けられた無線ＩＣタグは、最初に貼り付けられた物品と、無線ＩＣタグおよびその書き込まれたデータの整合が取れていなければならない。
昨今無線ＩＣタグが様々な業界で実証実験を重ね、実用化されていく中で今後、無線ＩＣタグが貼り付けられた物品の蓋を開け、中身だけ別の物品に入れ替えるなどの不正行為が予想される。
このような不正行為を回避するための技術が必要である。【０００４】従来の技術では、無線ＩＣタグを剥がす際にＩＣチップと、アンテナ部を剥離させ無線ＩＣタグのデータ読み出せなくするものや、不正な取り扱いをした場合に、ＩＣタグを電気的または、熱的な破壊をする物がある。【０００５】なお、本願発明に関する公知技術として、以下の特許文献を挙げることができる。
【特許文献１】特開２００７−１２２４６６号
【特許文献２】特開２００１−２１６４８８号
【特許文献３】特開２００１−２０９７６８号
【特許文献４】特開２００６−３４３８４４号
【発明の開示】
【発明が解決しようとする課題】
【０００６】近年無線ＩＣタグは、さまざまな業界で利用されることが期待されている。
流通、金融、福祉、医療など多くの業界で多様な用途が今後期待されている。【０００７】流通業界で無線ＩＣタグを導入するシステムは、ほとんどの場合コンピュータのシステムとの連動がなされており、このシステムの運用を信頼のある形で運用するには、無線ＩＣタグを付けた流通する物品とコンピュータシステムのデータを確実に連動させる事が不可欠である。【０００８】不正行為についても、防止する策を講じなければならない。
予想される第一の不正行為として、使用済み無線ＩＣタグの不正利用が予想される。
使用済みなった無線ＩＣタグでも、無線ＩＣタグリーダにて、データを読み出せる状態となっている。このため悪意ある者から、使用済み無線ＩＣタグのデータを読み出され不正に利用されることが予想される。【０００９】予想される第二の不正行為として、無線ＩＣタグを付けた流通する物品の不正な流用等が予想される。
無線ＩＣタグを付けた流通する物品の蓋を不正に開封し、物品の中身を流用するなど不正行為が予想される。【００１０】従来の技術では、上述の第一の不正行為は複数層状になっている無線ＩＣタグの一部の層を剥がすことで、ＩＣタグを破壊する、または剥がず等の行為を不正に行おうとすると電気的、熱的に無線ＩＣタグを破壊する方法が存在する。【００１１】第二の不正行為は、従来の技術では物品の開閉部に対して封印し物品の開閉部を開いた際に無線ＩＣタグのシートまたは、フィルムと共にアンテナの一部を切断する機構となっていない為防止することが出来ない。【００１２】このことから、第一の不正行為と、第二の不正行為を同時に解決することは従来技術では存在していない。
【課題を解決するための手段】
【００１３】上記目的を達成する為に第一の解決手段となる本願発明の無線ＩＣタグは、物品に貼り付け可能な粘着面を片面に備えた二重の矩形状シートまたはフィルムと前記シートまたはフィルム面に形成されたアンテナと前記アンテナを介して外部と無線通信可能なＩＣチップとを備えた無線ＩＣタグであって、前記シートまたはフィルムはその両側にかかる張力によりアンテナとシートを切断可能としたことを特徴とする無線ＩＣタグ。
フィルムまたは、シートに張力が加わるとシートまたは、フィルムがアンテナの一部と共に切断され無線通信機能を停止する特徴を持つ。【００１４】第二の解決手段としては、物品を結束する二重の帯状シートまたは、フィルムの結束帯と前記結束帯を結束状態に保持する保持部と前記結束帯の帯面上に形成されたアンテナとを備えた無線ＩＣタグであって前記結束帯はこれに加わる張力によりアンテナと共に結束帯を切断可能としたことを特徴とする無線ＩＣタグ。
ＩＣチップとアンテナを帯状のシートまたは、フィルム上に形成されており、結束を固定するための保持部を有している。
フィルムまたは、シートに張力が加わるとシートまたは、フィルムがアンテナの一部と共に切断され無線通信機能を停止する特徴を持つ。【００１５】第三の解決手段としては、前記シートまたはフィルムあるいは、結束帯上に形成されかつ前記アンテナの一部を横断して形成され、他のシートまたはフィルムあるいは結束帯部分よりも張力に対して切れ易く形成された切断線を設けることを特徴とする請求項１または２記載の無線ＩＣタグ。【００１６】第四の解決手段としては、前記切断線はシートまたはフィルムあるいは結束帯部分上に形成されたミシン目であることを特徴とする請求項１〜３のいずれか一項に記載の無線ＩＣタグ。【００１７】第五の解決手段としては、物品収納体の開閉部の開閉部分に請求項１〜４記載の無線ＩＣタグを貼付けして封印し、前記開閉部の開閉部分を開く際には前記無線ＩＣタグのシートまたはフィルムがアンテナと共に切断されることを特徴とする請求項１、３〜４のいずれか一項に記載の物品収納体の開閉部の開閉部分密閉方法。【００１８】第六の解決手段としては、物品収納体の開閉部の開閉部分が請求項２に示すような帯状の結束帯で結束することで、物品収納体を密閉することが出来る物品収納体の場合は、請求項１〜４記載の無線ＩＣタグにて開閉部を結束して封印し、前記開閉部分を開く際には前記無線ＩＣタグのシートまたはフィルムがアンテナと共に切断されることを特徴とする請求項２〜４のいずれか一項に記載の物品収納体の開閉部の開閉部分密閉方法。
【発明の効果】
【００１９】上述の手段により、悪意のある者が不正を行うために物品の開閉部を不正に開こうとすると、封印された無線ＩＣタグのシートまたは、フィルムが切断されるとともに、アンテナの一部も切断される。これにより無線通信が不能になり、無線ＩＣタグのＩＣチップに記憶されたデータが読み込み、書き込みが出来なくなり、不正が行われた事が第三者に認識されてしまう為、不正が行われることを未然に防ぐことが出来る。
【発明を実施するための最良の形態】
【００２０】以下、本願発明の実施するための最良の形態として一実施例を図１〜図４に基づいて説明する。【００２１】図１においては、１はＩＣチップ１（記憶装置）で保持するデータを記憶する。
２は、アンテナ２（無線通信）でＩＣタグリーダ、ライターより発せられる電波により微量の電力を起こしＩＣチップ１へ通電する役目を持つ。
３は、ＩＣチップ１とアンテナ２を挟み込むシートまたはフィルムで、ＩＣチップ１とアンテナ２を固定する役目を持ち片面に粘着面を有する。
金属の物品などに貼る場合は、シートまたはフィルム３よりも物体に近い位置に電波干渉を起こさないようにするための特殊なシートまたはフィルムを貼り付ける。
４は、シートまたはフィルム３に施す切れやすい加工をした切断線４である。【００２２】図１に示す無線ＩＣタグは、両端より張力が加わると切断線４より切断される。
切断される際に、同時にアンテナ２の一部も切断されＩＣチップ１への通電を遮断する。【００２３】図２は帯状の無線ＩＣタグで物品に結束できる。１はＩＣチップ１（記憶装置）で保持するデータを記憶する。２は、アンテナ２（無線通信）でＩＣタグリーダ、ライターより発せられる電波により微量の電力を起こしＩＣチップ１へ通電する役目を持つ。
３は、ＩＣチップ１とアンテナ２を挟み込む帯状のシートまたはフィルム３で、ＩＣチップ１とアンテナ２を固定する役目を持つ。金属の物体などに貼る場合は、シートまたはフィルム３よりも物品に近い位置に電波干渉を起こさないようにするための特殊なシートを貼り付ける。
５と６は、図２の帯状の無線ＩＣタグの両端を結束するための保持部５，６である。
この保持部５，６は、一度結束すると無線ＩＣタグの切断をしない限り外れない仕組みとなる。４は、シートまたはフィルム３に施す切れやすい加工をした切断線４である。【００２４】図３は、図１に示す無線ＩＣタグを物品に貼り付けた実施例である。
７は、無線ＩＣタグ９を貼り付ける対象となる物品７となる。
８は、物品７の蓋８となる。物品７は、蓋８を開いた状態以外で、物品７の内容物を出し入れすることは出来ない。
９は、図１の無線ＩＣタグを物品７の蓋８に適切に貼り付けたものである。
ＩＣタグ９は、物品７に内容物を詰めた後、蓋８を閉じて蓋８を封印するように無線ＩＣタグ９を貼り付ける。【００２５】図４は、図２の無線ＩＣタグをホース状の物品１２に結束状態で取り付けた実施例である。
例えば、バキュームカーなどのホースの先端部分を指す。
１２は、無線ＩＣタグ１３を取り付ける対象となるホース状の物品１２となる。
１０は、ホース状の物品１２の蓋１０となりホース状の物品１２の内容物はこの蓋１０を外した状態以外の場所から出し入れは不可能な状態にある。
１１は、ホース状の物品１２に蓋１０を固定する為の固定具１１でホース状の物品１２から外側に可動させることで固定を解除できる。
蓋１０をホース状の物品１２に取り付け、固定具１１によって固定し固定具１１の先端部分に開いた通し穴に帯状の無線ＩＣタグ１３を通し結束し、封印を行う。【００２６】以上に説明した、図３、図４に示す様に無線ＩＣタグを使って被装着物の物品に封印を行う。無線ＩＣタグによって封印を行うことで不正に物品の蓋を開封することが出来ない。
この為、不正に物品の蓋を開ける行為を未然に防止する事が可能である。
【図面の簡単な説明】
【００２７】
【図１】第一の実施形態に係わる無線ＩＣタグの斜視図
【図２】第二の実施形態に係わる無線ＩＣタグの斜視図
【図３】物品収納体の開閉部の開閉部分への無線ＩＣタグの装着例
【図４】物品収納体の開閉部の開閉部分が帯状の結束帯で結束する場合の無線ＩＣタグの装着例
【符号の説明】
【００２８】１      ＩＣチップ（記憶装置）
２      アンテナ（無線装置）
３      シートまたは、フィルム（ＩＣチップ、アンテナを挟み固定する）
４      切断線
５，６  結束する為の保持部
７      物品を運ぶ為の収納体
８      ７の箱の開閉部の開閉部分
９      ８の開閉部分を封印する為の無線ＩＣタグ
１０    ホースの先端をカバーする蓋部
１１    １０の蓋部を固定する為の固定具
１２    ホース
１３    帯状の無線ＩＣタグ
【図１】
2009193550.tif 000003
【図２】
2009193550.tif 000004
【図３】
2009193550.tif 000005
【図４】
2009193550.tif 000006